(57)【要約】      （修正有）【課題】重送判定の精度を有効に高め、不揮発性メモリに記憶されていないシート状記録媒体に対しても、有効な重送判定を可能ならしめることを課題とする。【解決手段】重送検知装置は、超音波発振部２３Ａと、受信センサ２３Ｂと、シート状記録媒体の重送を判定する重送判定回路２０９と、制御部とを有し、制御部は、不揮発性メモリ２１１と、外部入力部２７と、閾値調整回路２１２とを有し、閾値調整回路２１２は、搬送されるシート状記録媒体の仕様情報に応じて、重送判定に用いる３つの閾値を初期設定するとともに、搬送途上のシート状記録媒体に関する受信レベルに応じて、３つの閾値のうち１以上を可変して設定する機能を持つ。【選択図】図２
2014047075.tif 000002
【特許請求の範囲】
【請求項１】
複数枚から分離されて搬送されるシート状記録媒体に画像を形成する画像形成装置において、前記シート状記録媒体の重送を検知する重送検知装置であって、
シート状記録媒体の搬送路の定位置において、搬送途上のシート状記録媒体に向けて超音波を発振する超音波発振部と、
前記搬送路を介して前記超音波発振部と逆側に配置され、前記シート状記録媒体を通過して減衰した超音波を受信する超音波受信センサと、
該超音波受信センサが受信する超音波信号の受信レベルにより、前記シート状記録媒体の重送の有無を判定する重送判定回路と、
前記超音波発振部と、超音波受信センサと、重送判定回路とを、前記シート状記録媒体の搬送に同期して制御する制御部とを有し、
前記制御部は、不揮発性メモリと、外部入力部と、閾値調整回路とを有し、
前記不揮発性メモリは、複数種のシート状記録媒体の仕様情報と、該仕様情報ごとに、重送判定に用いる１以上の閾値を保存しており、
前記外部入力部は、搬送されるシート状記録媒体の仕様情報を外部から入力するものであり、
前記閾値調整回路が、搬送されるシート状記録媒体の仕様情報に応じて、重送判定に用いる３つの閾値：ＶｔｈＨ、ＶｔｈＭ、ＶｔｈＬを初期設定するとともに、搬送途上の前記シート状記録媒体に関する受信レベルに応じて、前記３つの閾値のうち１以上を可変して設定する機能を持つことを特徴とする重送検知装置。
【請求項２】
請求項１記載の重送検知装置において、
画像記録に使用されるシート状記録媒体が、不揮発性メモリに保存されていないものであるとき、該シート状記録媒体の仕様情報の入力手段による入力を促すと共に、
入力された入力仕様情報に基づき、閾値調整回路が、前記不揮発性メモリ内に保存された保存仕様情報のうち、前記入力仕様情報に近いものを選択し、選択された保存仕様情報により、閾値の初期設定を行うことを特徴とする重送検知装置。
【請求項３】
複数枚から分離されて搬送されるシート状記録媒体に画像を形成する画像形成装置において、  
シート状記録媒体の重送を検知する重送検知装置として、請求項１または２記載のものを有することを特徴とする画像形成装置。
【請求項４】
複数枚から分離されて搬送されるシート状記録媒体に画像を形成する画像形成装置において、前記シート状記録媒体の重送を検知する重送検知方法であって、
搬送されるシート状記録媒体に関する使用情報を外部入力可能とするとともに、
複数のシート状記録媒体に関する使用情報と、３つの閾値：ＶｔｈＨ、ＶｔｈＭ、ＶｔｈＬを不揮発性メモリに記憶させ、
前記搬送されるシート状記録媒体の仕様情報に応じて、３つの閾値：ＶｔｈＨ、ＶｔｈＭ、ＶｔｈＬを初期設定し、
シート状記録媒体の搬送路の定位置において、搬送途上のシート状記録媒体に向けて超音波発振部により超音波を発振し、
前記搬送路を介して前記超音波発振部と逆側に配置された超音波受信センサにより、前記シート状記録媒体を通過して減衰した超音波を受信し、
搬送途上の前記シート状記録媒体に関する受信レベルに基づき、必要に応じて、前記３つの閾値のうち１以上を可変して再設定し、
再設定された前記３つの閾値を用いて、重送の有無を判定することを特徴とする重送検知方法。
【請求項５】
請求項４記載の重送検知方法において、
画像記録に使用されるシート状記録媒体が、不揮発性メモリに保存されていないものであるとき、該シート状記録媒体の仕様情報の入力手段による入力を促し、
入力された入力仕様情報に基づき、前記不揮発性メモリ内に保存された保存仕様情報のうち、前記入力仕様情報に近いものを選択し、選択された保存仕様情報により、３つの閾値：ＶｔｈＨ、ＶｔｈＭ、ＶｔｈＬの初期設定を行うことを特徴とする重送検知方法。
【発明の詳細な説明】
【技術分野】
【０００１】
この発明は、重送検知装置および画像形成装置および重送検知方法に関する。
【０００２】
この発明の画像形成装置は、アナログやデジタルの電子複写装置や、光プリンタ、光プロッタ、ファクシミリ装置等として実施できる。
【０００３】
さらには、これ等の装置の機能を複合させたＭＦＰ（マルチ・ファンクション・プリンタ）や、インクジェット方式の画像形成装置として実施できる。
【背景技術】
【０００４】
電子複写機や光プリンタ、ＭＦＰ、インクジェットプリンタ等の画像形成装置では、画像を記録する記録媒体は、紙や布、プラスチックシート等のシート状である。
【０００５】
このようなシート状の記録媒体を、この明細書中において「シート状記録媒体」と称する。
【０００６】
シート状記録媒体は、一般的に、画像形成装置内に積載状態で用意され、給紙機構により、積層された複数枚から１枚ずつ分離されて画像形成部へ搬送される。
【０００７】
積層されたシート状記録媒体は、静電気や湿度等の作用により相互に吸着することがあり、２枚以上が重なり合って搬送される場合がある。
【０００８】
このように複数枚のシート状記録媒体が「重なり合って搬送」されることを、シート状記録媒体の「重送」と称する。  
重送は、勿論、画像形成プロセスに悪影響を与える。
【０００９】
このような「重送」の有無を、超音波を用いて検知することが、特許文献１、２等により従来から知られている。
【００１０】
シート状記録媒体に向けて超音波を発振し、シート状記録媒体を通過させると、通過した超音波の強度は、シート状記録媒体を通過することにより減衰している。
【００１１】
この減衰は、超音波が通過したシート状記録媒体の仕様により異なる。
【００１２】
特許文献１では、シート状記録媒体を通過した超音波を検出した検出レベルに「閾値」を設定し「検出レベルが閾値を下回った」ときに重送が生じたとする判定が行われている。
【００１３】
検出レベルは、シート状記録媒体の種類によっても変化するので、シート状記録媒体を静止状態にして超音波を通過させ、検出レベルに応じて閾値の調整が行われる。
【００１４】
特許文献２では、シート状記録媒体を通過した超音波の検出信号を増幅して積分し、積分された値を閾値と比較して、重送の判定を行っている。
【００１５】
これら特許文献１、２記載の重送判定では、シート状記録媒体の種類に応じて「単一の閾値」が変化させられる。
【００１６】
また、閾値は、搬送されるシート状記録媒体の種類に応じて異なるので、一般に、複数のシート状記録媒体に関する閾値が「不揮発性メモリ」に記憶されている。
【００１７】
そして、搬送されるシート状記録媒体の種類に応じ、記憶された閾値が設定されるようになっている。
【００１８】
実際には、用いられるシート状記録媒体の全種類について閾値を記憶させることは困難であり、不揮発性メモリに記憶されていないシート状記録媒体が用いられることもある。
【００１９】
また、超音波を発振する超音波発振部や受信センサに異物が付着したり、あるいは環境温度が大きく変化すると、感度が変化し、重送検知に誤差が生じ得る。
【００２０】
また、閾値が１つであると、シート状記録媒体が「超音波を通過させ易いか否か」によって、重送判定に誤りが発生する可能性がある。
【発明の概要】
【発明が解決しようとする課題】
【００２１】
この発明は、重送判定の精度を有効に高め、不揮発性メモリに記憶されていないシート状記録媒体に対しても、有効な重送判定を可能ならしめることを課題とする。
【課題を解決するための手段】
【００２２】
この発明の重送検知装置は、複数枚から分離されて搬送されるシート状記録媒体に画像を形成する画像形成装置において、前記シート状記録媒体の重送を検知する重送検知装置であって、シート状記録媒体の搬送路の定位置において、搬送途上のシート状記録媒体に向けて超音波を発振する超音波発振部と、前記搬送路を介して前記超音波発振部と逆側に配置され、前記シート状記録媒体を通過して減衰した超音波を受信する超音波受信センサと、該超音波受信センサが受信する超音波信号の受信レベルにより、前記シート状記録媒体の重送の有無を判定する重送判定回路と、前記超音波発振部と、超音波受信センサと、重送判定回路とを、前記シート状記録媒体の搬送に同期して制御する制御部とを有し、前記制御部は、不揮発性メモリと、外部入力部と、閾値調整回路とを有し、前記不揮発性メモリは、複数種のシート状記録媒体の仕様情報と、該仕様情報ごとに、重送判定に用いる１以上の閾値を保存しており、前記外部入力部は、搬送されるシート状記録媒体の仕様情報を外部から入力するものであり、前記閾値調整回路が、搬送されるシート状記録媒体の仕様情報に応じて、重送判定に用いる３つの閾値：ＶｔｈＨ、ＶｔｈＭ、ＶｔｈＬを初期設定するとともに、搬送途上の前記シート状記録媒体に関する受信レベルに応じて、前記３つの閾値のうち１以上を可変して設定する機能を持つことを特徴とする。
【００２３】
この発明の重送検知方法は、複数枚から分離されて搬送されるシート状記録媒体に画像を形成する画像形成装置において、前記シート状記録媒体の重送を検知する重送検知方法であって、搬送されるシート状記録媒体に関する使用情報を外部入力可能とするとともに、複数のシート状記録媒体に関する使用情報と、３つの閾値：ＶｔｈＨ、ＶｔｈＭ、ＶｔｈＬを不揮発性メモリに記憶させ、前記搬送されるシート状記録媒体の仕様情報に応じて、３つの閾値：ＶｔｈＨ、ＶｔｈＭ、ＶｔｈＬを初期設定し、シート状記録媒体の搬送路の定位置において、搬送途上のシート状記録媒体に向けて超音波発振部により超音波を発振し、前記搬送路を介して前記超音波発振部と逆側に配置された超音波受信センサにより、前記シート状記録媒体を通過して減衰した超音波を受信し、搬送途上の前記シート状記録媒体に関する受信レベルに基づき、必要に応じて、前記３つの閾値のうちの１以上を可変して再設定し、再設定された前記３つの閾値を用いて、重送の有無を判定することを特徴とする。
【００２４】
この発明の画像形成装置は、複数枚から分離されて搬送されるシート状記録媒体に画像を形成する画像形成装置において、シート状記録媒体の重送を検知する重送検知装置として、上記のものを有することを特徴とする。
【発明の効果】
【００２５】
この発明の重送検知装置によれば、重送判定に３つの閾値を用い、これら閾値を可変設定できるので、精度の良い重送判定が可能である。
【００２６】
また、搬送されるシート状記録媒体の仕様情報を、外部から入力可能であるので、不揮発性メモリに記憶されないシート状記録媒体の重送判定も有効に行うことができる。
【図面の簡単な説明】
【００２７】
【図１】画像形成装置の実施の１形態を説明するための図である。
【図２】重送検知回路を説明するための図である。
【図３】重送閾値：ＶｔｈＨとその調整について説明するための図である。
【図４】重送閾値：ＶｔｈＭとその調整について説明するための図である。
【図５】重送閾値：ＶｔｈＬとその調整について説明するための図である。
【図６】シート状記録媒体Ｓの搬送に「重送あり」と判定されるときのフローチャートである。
【図７】重送検知の条件設定について説明するフローチャートである。
【発明を実施するための形態】
【００２８】
以下、実施の形態を説明する。  
図１は、画像形成装置の実施の１形態を示す図である。
【００２９】
図１に示す画像形成装置１は、タンデム型のカラー光プリンタである。  
図１において、画像形成装置１の装置中央付近に、無端ベルト状の中間転写ベルト２が設けられている。
【００３０】
中間転写ベルト２は、複数の支持ローラ２８及び駆動ローラ８、２次転写対向ローラ１０に掛け回され、駆動ローラ８により時計回りに回転駆動される。  
中間転写ベルト２の上部には、４つの画像形成手段３が、図の左右方向に配設されて、タンデム画像形成装置４を構成している。  
タンデム画像形成装置４の上には露光装置５が設けられている。  
タンデム画像形成装置４の各画像形成手段３は、各色トナー像を担持する像担持体としてドラム状の感光体６を有している。  
各感光体６から中間転写ベルト２にトナー像を転写する１次転写位置には、１次転写手段の構成要素として１次転写ローラ７が設けられている。  
各１次転写ローラ７は、中間転写ベルト２を介して各感光体６と対向するように配されている。
【００３１】
画像形成すべき印刷データは、例えば、コンピュータ等の「図示されない上位装置」からコントローラボックス２５内のコントローラボード２６に送信される。  
コントローラボード２６は、受信した印刷データを「画像形成装置１で印刷するための画像データ」に編集し、画像形成装置１に送信する。  
画像形成装置１は、画像データを受信すると、駆動ローラ８を回転駆動し、中間転写ベルト２を回転させる。  
これに同期して、個々の画像形成手段３により、各感光体６上に、所定の色（例えば、イエロー、マゼンタ、シアン、黒の４色）の単色画像が形成される。  
これら各色の単色画像は、中間転写ベルト２上に順次、重ね合わせて転写され、中間転写ベルト２上にカラー画像が形成される。  
中間転写ベルト２を介して、タンデム画像形成装置４と反対側には、２次転写装置９が配置されている。  
２次転写装置９は、２次転写対向ローラ１０に２次転写ローラ１１を押し当てて転写電界を印加する。
【００３２】
これにより、中間転写ベルト２上の画像が、ローラ１０、１１間を通過するシート状記録媒体Ｓに転写される。
【００３３】
２次転写装置９の左方には、シート状記録媒体Ｓ上のカラー画像を定着する定着機構部１２が設けられている。
【００３４】
定着機構部１２は、無端ベルト状の定着ベルト１３に加圧ローラ１４を押圧させた構成となっている。  
画像形成装置１の上部には、印刷方法、カラー／モノクロ印刷、用紙サイズ、紙種等の印刷設定を行うための外部入力部であるオペレータパネル２７が設けられている。
【００３５】
このオペレータパネル２７の操作により、オペレータが任意に印刷設定を変更できる。
【００３６】
シート状記録媒体Ｓは、図中の破線、一点鎖線が示す搬送経路に沿って搬送される。  
破線は「片面印刷時の搬送経路」、一点鎖線は「両面印刷を行う場合に片面印刷完了後のシート状記録媒体Ｓの搬送経路」を示す。  
給紙カセット１８に格納されるシート状記録媒体Ｓは「サイズおよび向き」を、ユーザが任意に設定可能である。  
そして、シート格納時に自動的に認識され「認識されたサイズと向き」がオペレータパネル２７に表示される。  
シートの種別は、ユーザがオペレータパネル２７を操作し、予め登録されている「シートの種類」から選択するか、未登録のシートの場合は「仕様情報を追加登録」する。
【００３７】
「仕様情報」は、シート状記録媒体に関する「厚さや坪量等」である。
【００３８】
印刷時には、給紙カセット１８内のシート状記録媒体Ｓを、自動またはオペレータによる操作により選定する。  
そして、選定されたサイズのシート状記録媒体を格納している給紙テーブル１６の給紙ローラ１７の１つを回転し、最上部のシート状記録媒体を定期的に繰り出す。
【００３９】
繰出されたシート状記録媒体Ｓは、搬送経路上に配置された各搬送ローラ１９を適時駆動することにより搬送される。  
各搬送ローラ１９には、搬送経路下流側直近に搬送センサ(図示されず)が配置され、シート状記録媒体Ｓの搬送を監視している。  
給紙カセット１８から搬送されたシート状記録媒体Ｓは、搬送経路上に配置された重送センサ２３により重送の有無を監視されている。
【００４０】
１枚ずつ搬送されたシート状記録媒体Ｓは、タイミングローラ２０に先端を銜えられて待機する。
【００４１】
そして、中間転写ベルト２上の画像の移動にタイミングを合わせて、２次転写装置９に送り込まれ、中間転写ベルト２上のカラー画像を転写される。
【００４２】
カラー画像を転写されたシート状記録媒体Ｓは、搬送ベルト１５により定着機構部１２へ搬送され、同機構部１２において熱と圧力とを加えられてカラー画像を定着される。  
両面印刷時には、この後、シート状記録媒体Ｓを表裏反転し、定着機構部１２下側から搬送経路の上流側へ搬送し、他方の面を同様に印刷する。  
印刷が完了したシート状記録媒体Ｓは、排出ローラ２１により、デカーラユニット２２へ搬送される。
【００４３】
デカーラユニット２２は、印刷動作によりカールしているシート状記録媒体Ｓのカールを改善し、排紙トレイ２４上に排出積載する。
【００４４】
次に、図２を参照して重送検知回路を説明する。
【００４５】
図２において、符号２３Ａは「超音波発振部」、符号２３Ｂは「超音波受信センサ」、符号２０１は「画像形成装置制御部」、符号２０２は「駆動パルス生成回路」を示す。
【００４６】
なお、以下においては図２に合わせて、超音波発振部２３Ａを「送信センサ」、超音波受信センサ２３Ｂを「受信センサ」と称する。
【００４７】
これら送信センサ２３Ａ、受信センサ２３Ｂは、図１に示した「重送センサ２３」を構成する。
【００４８】
また、符号２０３は「フィルタ回路」、符号２０４は「増幅回路」、符号２０５は「検波回路Ｂ」を示す。  
さらに、符号２０６は「比較回路Ｈ」、符号２０７は「比較回路Ｍ」、符号２０８は「比較回路Ｌ」、符号２０９は「重送判定回路」を示す。
【００４９】
符号２１０は「ＣＰＵ」、符号２１１は「不揮発性メモリ」を示し、さらに、符号２１２は「閾値調整回路」を示す。
【００５０】
画像形成装置制御部２０１は、搬送途上のシート状記録媒体Ｓの重送状態を検知するため、送信センサ２３Ａを駆動する。
【００５１】
送信センサ２３Ａで発生する超音波は、搬送途上のシート状記録媒体Ｓに向けて発振され、シート状記録媒体Ｓを通過し、受信センサ２３Ｂにより受信される。
【００５２】
なお、送信センサ２３Ａから「連続でパルス出力」した場合、超音波の干渉による反射波を誤検知する恐れがある。
【００５３】
これを避けるため、超音波パルスは「一定のサンプリング周期で断続的に超音波を送信するバースト波」で出力する。  
また、この実施の形態では、発信した超音波の反射波の影響を受けないように、超音波の発振方向をシート状記録媒体Ｓの搬送路に対して傾けて設定している。  
なお、超音波周波数は３００ｋＨｚ、バースト波数は６波としている。  
画像形成装置制御部２０１内のＣＰＵ２１０は、シート状記録媒体Ｓの搬送と同期して送信センサ２３Ａの駆動タイミングを生成する。  
生成された駆動タイミング信号は、駆動パルス生成回路２０２で、駆動パルスに変換され、送信センサ２３Ａに入力し、超音波パルスを発振させる。  
送信センサ２３Ａから発振された超音波パルスは、受信センサ２３Ｂで受信される。
【００５４】
受信センサ２３Ｂが受信する超音波パルスは、シート状記録媒体Ｓを通過することにより減衰するが、減衰率は「シート状記録媒体Ｓの種類」により異なる。  
受信センサ２３Ｂが受信した超音波パルスは、フィルタ回路２０３に入力され「送信された超音波パルスの周波数を中心とした帯域」を抽出される。  
帯域抽出された超音波パルスは、増幅回路２０４にて「重送検知を判別し易いレベル」まで増幅され、検波回路２０５で「増幅された超音波パルスの増幅分」が取り出される。
【００５５】
検波された「増幅された超音波パルスの増幅分」は、比較回路Ｈ２０６、比較回路Ｍ２０７、比較回路Ｌ２０８に送られる。
【００５６】
そして、比較回路Ｈ２０６、比較回路Ｍ２０７、比較回路Ｌ２０８において、それぞれ重送閾値：ＶｔｈＨ、ＶｔｈＭ、ＶｔｈＬとの比較判定を行う。
【００５７】
比較判定の判定結果はＣＰＵ２１０に送られる。  
重送閾値：ＶｔｈＨ、ＶｔｈＭ、ＶｔｈＬは「シート状記録媒体Ｓの仕様情報によって設定」される。
【００５８】
そして、ＣＰＵ２１０は、閾値調整回路２１２で「それぞれが最適な閾値」となるように制御する。
【００５９】
図３〜図６を参照して、重送閾値：ＶｔｈＨ、ＶｔｈＭ、ＶｔｈＬとその調整について説明する。
【００６０】
図３〜図６は「シート状記録媒体Ｓの重送検知」に関するタイミングチャートである。
【００６１】
これら図３〜図６において（Ａ）〜（Ｈ）は、図２に例示する回路上の信号波形であり、（Ａ）、（Ｂ）、（Ｄ）〜（Ｇ）は、図２のブロック図にも示してある。
【００６２】
駆動パルス生成回路２０２によって生成される駆動パルス（波形（Ａ））は「バースト波パルス」となっている。
【００６３】
このバースト波パルスを送信センサ２３Ａに入力すると、送信センサ２３Ａから超音波パルスが出力される。  
受信センサ２３Ｂは、シート状記録媒体Ｓを通過した超音波パルスを受信する。
【００６４】
受信された超音波パルスは、シート状記録媒体Ｓを通過することにより減衰しているが、その減数率はシート状記録媒体Ｓの種類に応じて異なる。
【００６５】
前述の如く、受信した超音波パルスから「超音波周波数を中心とした帯域」をフィルタ回路２０３で抽出し、増幅回路２０４で信号増幅すると波形（Ｂ）が得られる。  
波形（Ｂ）をもつ信号から、検波回路２０５によってパルス増幅分の信号（波形（Ｃ）を持つ信号）を抽出し、積分化すると波形（Ｄ）を持つ信号が得られる。
【００６６】
この波形（Ｄ）を持つ信号の最大値を「検波レベルＤ」と呼ぶ。  
検波レベルＤは、比較回路Ｈ２０６、比較回路Ｍ２０７、比較回路Ｌ２０８において、それぞれ、重送閾値：ＶｔｈＨ、ＶｔｈＭ、ＶｔｈＬと比較される。
【００６７】
比較回路Ｈ２０６、比較回路Ｍ２０７、比較回路Ｌ２０８は、比較結果をＣＰＵ２１０に向けて出力する。  
上記重送閾値：ＶｔｈＨ、ＶｔｈＭ、ＶｔｈＬの大小関係は、
ＶｔｈＨ＞ＶｔｈＭ＞ＶｔｈＬ  
となっている。
【００６８】
これら３つの閾値のうち、重送閾値：ＶｔｈＭは「シート状記録媒体Ｓの仕様」により定義される。  
更に、送信センサ２３Ａ、受信センサ２３Ｂの送・受信感度のばらつき、センサ表面の異物付着、周囲温度等によるばらつきを考慮する。
【００６９】
このばらつきによる、検波レベルＤの最大をＶｔｈＨ、最小をＶｔｈＬと定義する。
【００７０】
図３の（Ｄ）〜（Ｈ）は、検波レベルＤが「ＶｔｈＭ≦Ｄ＜ＶｔｈＨ」のときのタイミングチャートである。
【００７１】
検波レベルＤがこの領域にあれば「受信センサ２３Ｂで受信したシート状記録媒体Ｓにより減衰した超音波信号」が期待値通りであり、正確な重送検知を行うことができる。
【００７２】
図４の（Ｄ）〜（Ｈ）は、検波レベルＤが「ＶｔｈＨ≦Ｄ」のときのタイミングチャートである。  
検波レベルＤがこの領域にある場合、シート状記録媒体Ｓによる「減衰量のばらつき」によっては、重送状態を見逃してしまう可能性がある。  
即ち、検波レベルＤが「大きく」減衰率が小さいので、実際に重送が生じていても「重送なし」と判定される可能性がある。
【００７３】
この場合、正確な重送検知を行えるように、重送閾値：ＶｔｈＨを「より大きく」設定しなおし、図３のように「ＶｔｈＨ≧Ｄ」となるようにする必要がある。
【００７４】
図５は、検波レベルＤが「ＶｔｈＬ≦Ｄ＜ＶｔｈＭ」のときのタイミングチャートである。  
検波レベルＤがこの領域にある場合「シート状記録媒体Ｓの仕様によっては、重送状態でないにも関わらず重送と誤検知をしてしまう可能性」がある。  
即ち、検波レベルＤが「小さく」減衰率が大きいので、実際に重送が生じていなくても「重送あり」と判定される可能性がある。
【００７５】
そこで、この場合には、正確な重送検知を行えるように、重送閾値：ＶｔｈＭを「より小さく」設定しなおし、図３のように「Ｄ≧ＶｔｈＭ」となるようにする必要がある。
【００７６】
また、重送閾値：ＶｔｈＬも下げる必要がある。
【００７７】
図６は、検波レベルＤが「ＶｔｈＬ＞Ｄ」のときのタイミングチャートである。検波レベルＤがこの領域にある場合、シート状記録媒体Ｓの搬送に「重送あり」と判定される。
【００７８】
図７は、重送検知の条件設定について説明するフローチャートである。
【００７９】
図２のブロック回路図との関連で説明する。
【００８０】
画像形成装置制御部２０１は重送検知の閾値設定を行うために、給紙テーブル１６に格納されているシート状記録媒体Ｓのサイズを確認する（ＳＴＥＰ１）。
【００８１】
次いで、画像形成装置制御部２０１は「オペレータによりオペレータパネル２７で設定されたシート状記録媒体Ｓの仕様情報」について確認する（ＳＴＥＰ２）。
【００８２】
次に、使用するシート状記録媒体Ｓ、モノクロ印刷、カラー印刷、両面印刷、片面印刷等の印刷モードの設定を確認する（ＳＴＥＰ３）。
【００８３】
次いで、シート状記録媒体Ｓが「画像形成装置制御部２０１内の不揮発性メモリ２１１に登録済のシート状記録媒体か否か」を判断する（ＳＴＥＰ４）。
【００８４】
「未登録のシート状記録媒体Ｓ」である場合、オペレータパネル２７上のＬＤＣ等の告知手段にて「登録のない」ことをオペレータに告知する。  
そして、シート状記録媒体Ｓの仕様情報の入力を促す（ＳＴＥＰ１３）。  
オペレータが仕様情報を入力すると、入力された情報から「登録済のシート状記録媒体Ｓに類似する仕様」で条件設定を行う（ＳＴＥＰ１２）。
【００８５】
「オペレータにより入力すべき仕様情報」は、シート状記録媒体の「坪量や厚さ等」である。
【００８６】
オペレータがこのような仕様情報を持たない場合には、例えば、質問形式により仕様情報の入力を促すことができる。
【００８７】
例えば、シート状記録媒体が「転写紙」であれば、「転写紙は厚紙ですか？」、「転写紙の目が詰んでいますか？」、「転写紙は重いですか？」等の質問を表示する。
【００８８】
これ等の質問に対する回答も、例えば、２択形式や３択形式で表示して、オペレータに選択させる。このようにして、転写紙に対する「必要な仕様情報」を取得する。
【００８９】
このように取得された仕様情報に「最も近い仕様情報の既登録シート状記録媒体」を選択し、「登録済のシート状記録媒体Ｓに類似する仕様」とする。
【００９０】
使用する転写紙が「登録済シート状記録媒体」である場合、不揮発性メモリ２１１に記憶されている条件設定を行い、給紙を開始する。
【００９１】
登録済みのシート状記録媒体が搬送される場合には、不揮発性メモリ２１１には、既に、重送閾値：ＶｔｈＨ、ＶｔｈＭ、ＶｔｈＬが記憶されている。
【００９２】
従って、この場合、これら閾値：ＶｔｈＨ、ＶｔｈＭ、ＶｔｈＬを設定して、重送判定を開始すれば良い（ＳＴＥＰ５）。
【００９３】
搬送されるシート状記録媒体が「未登録」である場合には、前述の如く、オペレータにより「仕様情報」が、オペレータパネル２７上で入力されている。
【００９４】
そして、入力された仕様情報により「登録済のシート状記録媒体Ｓに類似する仕様」が選択され、選択された仕様に応じた閾値：ＶｔｈＨ、ＶｔｈＭ、ＶｔｈＬを初期設定する。
【００９５】
これら「初期設定された閾値」は、必ずしも適切であるとは限らない。  
そこで、ＳＴＥＰ６以下で、閾値の調整を行う。  
以下、選択された「登録済のシート状記録媒体Ｓに類似する仕様」に基づき、閾値：ＶｔｈＭは適正に設定されている場合を説明する。
【００９６】
上述したように、検波レベルＤを求め、最初に「閾値：ＶｔｈＨ」と比較する（ＳＴＥＰ６）。  
比較の結果が「ＶｔｈＨ≦Ｄ」のときは、閾値：ＶｔｈＨは低すぎるので、その値を上昇させる（ＳＴＥＰ１４）。このときの上昇量を「シフト１」とする。
【００９７】
「シフト」１は、例えば「初期設定された閾値：ＶｔｈＨとＶｔｈＬの範囲を、ｎ分割した分割量」とする。上記ｎは適宜の整数であるが「５〜１０程度が適当」である。
【００９８】
前記「比較の結果」が「ＶｔｈＨ＞Ｄ」である場合は、閾値：ＶｔｈＨは適正であるとして、次ステップに移行する。
【００９９】
即ち、検波レベルＤと閾値：ＶｔｈＭとを比較する（ＳＴＥＰ７）。  
「ＶｔｈＭ≦Ｄ」のとき、検波レベル：Ｄは最適な範囲にあることになり、閾値調整は終了する（ＳＴＥＰ１６）。「ＶｔｈＭ＞Ｄ」のときは次ステップに移行する。  
即ち、検波レベルＤと閾値：ＶｔｈＬとを比較する（ＳＴＥＰ８）。「ＶｔｈＬ≦Ｄ」のときは閾値シフト１ダウンさせる（ＳＴＥＰ１５）。
【０１００】
「シフト１」の幅は、上記と同様である。
【０１０１】
「ＶｔｈＬ＞Ｄ」のときは「閾値を最大シフト量分シフト」させる（ＳＴＥＰ９）。
【０１０２】
次に検波レベル：Ｄと閾値：ＶｔｈＬ（最大シフト量分シフトされている。）を再比較する（ＳＴＥＰ１０）。「ＶｔｈＬ≦Ｄ」のとき閾値調整終了する（ＳＴＥＰ１６）。  
「ＶｔｈＬ＞Ｄ」のときは「シート状記録媒体Ｓは重送状態」であり、重送判定を行う（ＳＴＥＰ１１）。
【０１０３】
なお、上記閾値の再調整は、搬送されつつある同一のシート状記録媒体に対し、適正な閾値が設定されるまで、必要に応じて２回以上行われる。
【０１０４】
このようにして、閾値調整が終了した後、次のシート状記録媒体Ｓの搬送ありの場合、検波レベルを検出し閾値比較を行っていく（ＳＴＥＰ１７）。
【０１０５】
このようにして、適正な重送検知を行うことができる。  
上の説明から明らかなように上記実施の形態において、オペレータパネル２７は「外部入力部」を構成する。
【０１０６】
場合によっては、搬送されるシート状記録媒体の仕様情報が、オペレータに知られていない場合も考えられる。
【０１０７】
この場合に対処するために、外部入力部には、この場合に「標準仕様」を選択する選択肢を設けておく。
【０１０８】
「標準仕様」は例えば、最も頻繁に使用される転写紙に対する仕様であり、この場合の重送閾値：ＶｔｈＨ、ＶｔｈＭ、ＶｔｈＬを不揮発性メモリ２１１に記憶させておく。
【０１０９】
「標準仕様」が外部入力された場合には、標準仕様用の閾値：ＶｔｈＨ、ＶｔｈＭ、ＶｔｈＬを設定して、上記の閾値調整を実行する。
【０１１０】
この場合には、閾値：ＶｔｈＨ、ＶｔｈＭ、ＶｔｈＬの何れも、仕様されるシート状記録媒体に適合していないことが考えられる。  
従って、検波レベルＤとの比較により、閾値：ＶｔｈＨ、ＶｔｈＬのみならず、閾値：ＶｔｈＭについても調整する場合がありうるが、上記と同様の方法で良い。
【０１１１】
上記実施の形態の説明において、画像形成装置としてタンデム型のカラー光プリンタの例を説明した。
【０１１２】
しかしこれに限らず、画像形成装置はアナログやデジタルの電子複写装置、光プリンタ、光プロッタ、ファクシミリ装置、ＭＦＰやインクジェットプリンタとして実施できる。
【符号の説明】
【０１１３】
２３Ａ      送信センサ（超音波発振部）
２３Ｂ      受信センサ（超音波受信センサ）
２０９      重送判定回路  
２０１      画像形成装置制御部
２１０      ＣＰＵ    
２７        外部入力部  
２１１      不揮発性メモリ
２１２      閾値調整回路    
【先行技術文献】
【特許文献】
【０１１４】
【特許文献１】特開２００６−３１２５２７号公報
【特許文献２】特開２０１２−５６７２８号公報
【図１】
2014047075.tif 000003
【図２】
2014047075.tif 000004
【図３】
2014047075.tif 000005
【図４】
2014047075.tif 000006
【図５】
2014047075.tif 000007
【図６】
2014047075.tif 000008
【図７】
2014047075.tif 000009